(57)【要約】【課題】  ドア表板に設けられた窓ガラスの有無に拘らず、ドア装置自体の強度及び剛性を高めることができるとともに、ドア表板に窓ガラスが設けられた場合でも、エレベータを利用する乗客が、その窓ガラスから配線ケーブルを見ることができない意匠性の良いエレベータのドア装置を得る。【解決手段】  両側部が曲成されたドア表板と、このドア表板の両側部にそれぞれ設けられ、この側部とによってドア表板の両側部にそれぞれ中空部を形成する縦補強板とを備える。【選択図】      図５
2005075624.tif 000002
【特許請求の範囲】
【請求項１】
両側部が曲成されたドア表板と、このドア表板の両側部にそれぞれ設けられ、前記側部とによって前記ドア表板の両側部にそれぞれ中空部を形成する縦補強板とを備えたことを特徴とするエレベータのドア装置。
【請求項２】
両側部が曲成されたドア表板と、このドア表板の両側部にそれぞれ設けられ、前記側部とによって前記ドア表板の両側部にそれぞれ中空部を形成する縦補強板と、前記中空部の少なくとも一方の内部に設置された配線ケーブルとを備えたことを特徴とするエレベータのドア装置。
【請求項３】
前記ドア表板の側部は、内向きの略コ字状に曲成されたことを特徴とする請求項１又は請求項２に記載のエレベータのドア装置。
【請求項４】
前記ドア表板の側部は、略円弧状に曲成されたことを特徴とする請求項１又は請求項２に記載のエレベータのドア装置。
【請求項５】
前記ドア表板は、開口部を有し、この開口部を覆う窓ガラスが設けられたことを特徴とする請求項１〜請求項４に記載のエレベータのドア装置。
【発明の詳細な説明】
【技術分野】
【０００１】
この発明は、エレベータのドア装置に関するものである。
【背景技術】
【０００２】
従来のエレベータのドア装置には、窓ガラスの下端部が補強部材上に位置決め支持されるとともに、左右両端部が固定部材によって扉パネルの裏側に固定され、スタッドボルトにナットを螺着することによって、扉パネルと補強部材との間隙に挿入されたスペーサを介して補強部材が扉パネルに締結されるため、接着剤を使用しなくても窓ガラスを扉パネルに簡単かつ安価に取り付けることができるものがある（例えば、特許文献１参照）。
【０００３】
【特許文献１】特開平４−１６４９０号公報
【発明の開示】
【発明が解決しようとする課題】
【０００４】
従来のエレベータのドア装置は、ドア表板（扉パネル）両側部の曲げ部とドア装置の上下枠の曲げ部がボルトや溶接等によって固定されるとともに、ドア表板に窓ガラスが設けられていない場合には、ドア表板の裏側中央部にドア表板の長手方向に折り曲げられた補強板が固定され、ドア装置の強度や剛性が高められていた。しかし、特許文献１記載のエレベータのドア装置のように、ドア表板の中央部に開口部を有し、この開口部を覆うように窓ガラスが固定されている場合は、ドア表板の裏側中央部に補強板を設けるためのスペースを確保することができないため、ドア装置の強度や剛性が低下するといった問題が生じていた。また、電気配線ケーブルやその他の配線ケーブルを固定する場所も制限されるため、ドア表板に設置された窓ガラスを介してそれらの配線ケーブルが見えてしまうこともあり、意匠性を低下させる要因となっていた。
【０００５】
この発明は上述のような課題を解決するためになされたもので、ドア表板に設けられた窓ガラスの有無に拘らず強度及び剛性を高めるとともに、ドア表板に窓ガラスが設けられた場合でも、窓ガラスから配線ケーブルが見えることのない意匠性の良いエレベータのドア装置を提供することである。
【課題を解決するための手段】
【０００６】
この発明に係るエレベータのドア装置は、両側部が曲成されたドア表板と、このドア表板の両側部にそれぞれ設けられ、側部とによってドア表板の両側部にそれぞれ中空部を形成する縦補強板とを備えたものである。
【発明の効果】
【０００７】
この発明は、以上説明したように、両側部が曲成されたドア表板と、このドア表板の両側部にそれぞれ設けられ、側部とによってドア表板の両側部にそれぞれ中空部を形成する縦補強板とを備える構成としたことで、ドア表板に設けられた窓ガラスの有無に拘らず強度及び剛性を高めることができ、さらにドア表板に窓ガラスが設けられた場合でも、窓ガラスから配線ケーブルが見えることがないため、意匠性の向上を図ることができる。
【発明を実施するための最良の形態】
【０００８】
実施の形態１．
図１は、この発明の実施の形態１におけるエレベータのドア装置の横断面図である。図において、エレベータのドアの主要部を成すドア表板１は、その側部１ａがそれぞれ内向きのコ字状となるように折り返すように曲成されている。このコ字状に曲成されたドア表板１の側部１ａの内側には、横断面形状が同じくコ字状を有する縦補強板２が、その開口部が外向きとなるようにネジ７によってそれぞれ固定されている。これにより、ドア表板１の側部１ａと縦補強板２とで、断面が略四角形の中空部６が形成されている。また、ドア表板１の裏面中央部には、光電装置などに連結される配線ケーブル４が固定されている。
【０００９】
この発明の実施の形態１によれば、ドア表板１には側部１ａと縦補強板２とによって断面が略四角形の中空部６が形成されているため、ドア表板１の裏面中央部に補強板などを設けることなく、その強度と剛性を高めることが可能となる。
【００１０】
実施の形態２．
図２は、この発明の実施の形態２におけるエレベータのドア装置の横断面図である。図において、ドア表板１の側部１ａと縦補強板２とによって形成された、断面が略四角形の中空部６の内部に配線ケーブル４が設置され、その他は実施の形態１と同様の構成となっている。
【００１１】
この発明の実施の形態２によれば、実施の形態１と同様に、ドア表板１の側部１ａと縦補強板２とによって断面が略四角形の中空部６が形成されているため、十分な強度及び剛性を得ることができる。さらに、配線ケーブル４がこの中空部６の内部に設置されているため、エレベータの乗客からこれらの配線ケーブル４が見えてしまうといった問題がなく、意匠性の良いエレベータのドア装置を得ることができる。また、縦補強板２はネジ７によって簡単に取り外すことができるため、配線ケーブル４の交換や修理などが必要となる場合にも、容易に作業を行うことが可能である。なお、実施の形態２では、ドア表板１の側部１ａに形成された２つの中空部６にそれぞれ配線ケーブル４が設置されているが、両方の中空部６に配線ケーブル４を設置する必要がなければ、一方の中空部６のみに配線ケーブル４を設置する構成としても良い。
【００１２】
実施の形態３．
図３は、この発明の実施の形態３におけるエレベータのドア装置の横断面図である。図において、ドア表板１の側部１ａはそれぞれ円弧状に折り返すように曲成され、この円弧状に曲成された側部１ａには、横断面形状がコ字状を有する縦補強板２が、その開口部が外向きとなるようにネジ７によって固定されている。これにより、ドア表板１の側部１ａと縦補強板２とで中空部６が形成されている。その他は、実施の形態２と同様の構成となっている。
【００１３】
この発明の実施の形態３によれば、ドア表板１の側部１ａがそれぞれ円弧状に曲成されているため、ドア装置に過大な力が作用した場合でも、ドア表板１の側部１ａに応力集中が生じにくい構造となっている。また、実施の形態２と同様に、配線ケーブル４を中空部６の内部に設置することで、意匠性の良いエレベータのドア装置を得ることもできる。この場合も、縦補強板２はネジ７によって容易に取り外すことができるので、配線ケーブル４の交換などが必要な場合にも、容易に作業を行うことができる。
【００１４】
実施の形態４．
図４は、この発明の実施の形態４におけるエレベータのドア装置の横断面図である。図において、エレベータのドアの主要部を成すドア表板１は、その側部１ａがそれぞれ内向きのコ字状となるように折り返すように曲成されている。このコ字状に曲成されたドア表板１の側部１ａの内側には、横断面形状が同じくコ字状を有する縦補強板２が、その開口部が外向きとなるようにネジ７によってそれぞれ固定されている。これにより、ドア表板１の側部１ａと縦補強板２とで、断面が略四角形の中空部６が形成されている。また、ドア表板１の中央部には開口部１ｂが設けられ、この開口部１ｂを塞ぐように設置された窓ガラス３が、開口部１ｂの縁部と、一端部を縦補強板２にネジ８によって固定されたＺ字状の窓押え金５の他端部とで狭持されている。
【００１５】
この発明の実施の形態４によれば、ドア表板１の側部１ａと縦補強板２とによって断面が略四角形の中空部６が形成されているため、ドア表板１の中央部に窓ガラス３が設けられた場合においても、ドア表板１に窓ガラス３が設けられていない実施の形態１と同様の構成によって、十分な強度と剛性を得ることが可能である。
【００１６】
実施の形態５．
図５は、この発明の実施の形態５におけるエレベータのドア装置の横断面図である。図において、断面が略四角形の中空部６の内部に配線ケーブル４が設置され、その他は実施の形態４と同様の構成となっている。
【００１７】
この発明の実施の形態５によれば、実施の形態４と同様に、ドア表板１の側部１ａと縦補強板２とによって断面が略四角形の中空部６が形成されているため、ドア表板１に窓ガラス３が設けられた場合においても、十分な強度と剛性とを得ることが可能となる。さらに、配線ケーブル４がこの中空部６の内部に配置されているため、エレベータの乗客からこれらの配線ケーブル４が見えてしまうといった問題がなく、意匠性の良いエレベータのドア装置を得ることが可能である。
【００１８】
実施の形態６．
図６は、この発明の実施の形態６におけるエレベータのドア装置の横断面図である。図において、ドア表板１の側部１ａはそれぞれ円弧状に折り返すように曲成され、この円弧状に曲成された側部１ａには、横断面形状がコ字状を有する縦補強板２が、その開口部が外向きとなるようにネジ７によって固定されている。これにより、ドア表板１の側部１ａと縦補強板２とによって中空部６が形成されている。その他は、実施の形態５と同様の構成となっている。
【００１９】
この発明の実施の形態６によれば、ドア表板１の側部１ａがそれぞれ円弧状に曲成されているため、ドア表板１に窓ガラス３が設けられた場合においても、ドア表板１に窓ガラス３が設けられていない実施の形態３と同様の構成によって、ドア表板１の側部１ａに応力集中が生じにくい構造となっている。また、実施の形態５と同様に、配線ケーブル４を中空部６の内部に設置したことで、窓ガラス３から配線ケーブル４を見ることができないため、意匠性の良いエレベータのドア装置を得ることができる。
【図面の簡単な説明】
【００２０】
【図１】この発明の実施の形態１におけるエレベータのドア装置の横断面図である。
【図２】この発明の実施の形態２におけるエレベータのドア装置の横断面図である。
【図３】この発明の実施の形態３におけるエレベータのドア装置の横断面図である。
【図４】この発明の実施の形態４におけるエレベータのドア装置の横断面図である。
【図５】この発明の実施の形態５におけるエレベータのドア装置の横断面図である。
【図６】この発明の実施の形態６におけるエレベータのドア装置の横断面図である。
【符号の説明】
【００２１】
１  ドア表板
１ａ  側部
１ｂ  開口部
２  縦補強板
３  窓ガラス
４  配線ケーブル
５  窓押え金
６  中空部
７、８  ネジ
【図１】
2005075624.tif 000003
【図２】
2005075624.tif 000004
【図３】
2005075624.tif 000005
【図４】
2005075624.tif 000006
【図５】
2005075624.tif 000007
【図６】
2005075624.tif 000008